(57)【要約】１つの制御チャネル及び複数の共通チャネルを有し、前記制御チャネルで制御情報を周期的に送信するネットワークを有する移動通信システムにおける端末による制御情報受信方法は、前記制御チャネルを周期的に受信する段階と、特定時間に、前記受信した制御チャネルから識別子を検出する段階と、前記検出した識別子を含む制御情報により示される特定共通チャネルでデータを受信する段階とを含む。一実施形態においては、前記識別子が、前記端末自体のための端末識別子又は共通チャネル識別子であることを特徴とし得る。
2009513058.tif 000002
【特許請求の範囲】
【請求項１】
１つの制御チャネル及び複数の共通チャネルを有し、前記制御チャネルで制御情報を周期的に送信するネットワークを有する移動通信システムにおいて、
前記制御チャネルを周期的に受信する段階と、
特定時間に、前記受信した制御チャネルから識別子を検出する段階と、
前記検出した識別子を含む制御情報により示される特定共通チャネルでデータを受信する段階と、
を含むことを特徴とする端末による制御情報受信方法。
【請求項２】
前記識別子が、前記端末自体のための端末識別子又は共通チャネル識別子であることを特徴とする請求項１に記載の端末による制御情報受信方法。
【請求項３】
前記共通チャネルの少なくとも１つが、ＣＣＣＨ、ＢＣＣＨ、ＭＣＣＨ、ＭＴＣＨ、又はＰＣＣＨであることを特徴とする請求項１に記載の端末による制御情報受信方法。
【請求項４】
前記制御情報が、前記制御チャネルで受信されることを特徴とする請求項１に記載の端末による制御情報受信方法。
【請求項５】
前記制御情報及びデータが、同一のサブフレームで受信されることを特徴とする請求項１に記載の端末による制御情報受信方法。
【請求項６】
前記制御情報及びデータが、異なるサブフレームで受信されることを特徴とする請求項１に記載の端末による制御情報受信方法。
【請求項７】
前記制御情報が、同一のサブフレーム又は異なる後続のサブフレームで前記データのための時間及び周波数情報を示すことを特徴とする請求項１に記載の端末による制御情報受信方法。
【請求項８】
前記制御情報が、ＳＣＣＨ、ＦＣＣＨ、及びＬ１／Ｌ２制御情報の少なくとも１つから構成されることを特徴とする請求項１に記載の端末による制御情報受信方法。
【請求項９】
前記制御情報が、周波数パラメータ、時間パラメータ、及び読み取られる前記データのサイズパラメータの少なくとも１つを示すことを特徴とする請求項１に記載の端末による制御情報受信方法。
【請求項１０】
前記周波数パラメータがシンボルに関するものであり、前記時間パラメータがサブキャリアに関するものであり、前記サイズパラメータがシンボル及びサブキャリアに関するものであることを特徴とする請求項９に記載の端末による制御情報受信方法。
【請求項１１】
１つの制御チャネル及び複数の共通チャネルを有する移動通信システムにおいて、
前記制御チャネルを周期的に送信する段階と、
特定時間に検出された識別子を含む制御情報により示される特定共通チャネルで、前記端末が前記制御チャネルからデータを送信する段階と、
を含むことを特徴とするネットワークによる端末への制御情報送信方法。
【請求項１２】
前記識別子が、前記端末自体のための端末識別子又は共通チャネル識別子であることを特徴とする請求項１１に記載のネットワークによる端末への制御情報送信方法。
【請求項１３】
前記共通チャネルの少なくとも１つが、ＣＣＣＨ、ＢＣＣＨ、ＭＣＣＨ、ＭＴＣＨ、又はＰＣＣＨであることを特徴とする請求項１１に記載のネットワークによる端末への制御情報送信方法。
【請求項１４】
前記制御情報が、前記制御チャネルで送信されることを特徴とする請求項１１に記載のネットワークによる端末への制御情報送信方法。
【請求項１５】
前記制御情報及びデータが、同一のサブフレームで送信されることを特徴とする請求項１１に記載のネットワークによる端末への制御情報送信方法。
【請求項１６】
前記制御情報及びデータが、異なるサブフレームで送信されることを特徴とする請求項１１に記載のネットワークによる端末への制御情報送信方法。
【請求項１７】
前記制御情報が、同一のサブフレーム又は異なる後続のサブフレームで前記データのための時間及び周波数情報を示すことを特徴とする請求項１１に記載のネットワークによる端末への制御情報送信方法。
【請求項１８】
前記制御情報が、ＳＣＣＨ、ＦＣＣＨ、及びＬ１／Ｌ２制御情報の少なくとも１つから構成されることを特徴とする請求項１１に記載のネットワークによる端末への制御情報送信方法。
【請求項１９】
前記制御情報が、周波数パラメータ、時間パラメータ、及び読み取られる前記データのサイズパラメータの少なくとも１つを示すことを特徴とする請求項１１に記載のネットワークによる端末への制御情報送信方法。
【請求項２０】
前記周波数パラメータがシンボルに関するものであり、前記時間パラメータがサブキャリアに関するものであり、前記サイズパラメータがシンボル及びサブキャリアに関するものであることを特徴とする請求項１９に記載のネットワークによる端末への制御情報送信方法。
【発明の詳細な説明】
【技術分野】
【０００１】
本発明はＥ−ＵＭＴＳ（Evolved Universal Mobile Telecommunications System）に関し、特に移動端末のデータ受信方法に関する。
【背景技術】
【０００２】
広帯域無線（例えば、ＷｉＭＡＸ）接続をサポートするために、セルラー３Ｇ技術（例えば、ＵＭＴＳ、ＷＣＤＭＡなど）やマルチキャリアベースのマルチ接続技術（例えば、ＯＦＤＭＡ、ＯＦＤＭ−ＴＤＭＡ、ＯＦＤＭ−ＣＤＭＡなど）などの様々なタイプの広帯域無線エアインタフェースが存在する。周波数分割多重は、サブチャネル化（subchannelization）に関するもので、少なくとも４つのタイプが存在する（ＯＦＤＭ、フラッシュＯＦＤＭ、ｓＯＦＤＭＡ、及びＯＦＤＭＡ）。
【０００３】
ＯＦＤＭ（OrthogonalFrequency Division Multiplexing）は、無線信号を、異なる周波数で同時にレシーバに伝送されるより小さい複数のサブ信号に分割することを必要とする。ＯＦＤＭとは、全てのサブキャリアが互いに直交するマルチキャリア伝送の形態をいう。特定のＩＥＥＥ標準及び３ＧＰＰ標準がこのＯＦＤＭの様々な態様に関連する。
【０００４】
図１及び図２はＯＦＤＭで使用される一般的なフレームを示している。１つのフレームは、１０ｍｓ（milliseconds）の時間区間を有し、２０のサブフレームから構成され、各サブフレームは０．５ｍｓの時間区間を有する。各サブフレームは、データ又は情報を含むリソースブロック（ResourceBlock；RB）と、従来のＯＦＤＭ変調に必要な（しかし、パルス整形を用いるＯＦＤＭ（すなわち、ＯＦＤＭ／ＯＱＡＭ）には必要でない）ガードインターバルであるサイクリックプレフィックス（CyclicPrefix；CP）とから構成される。前記サブフレームの区間は最小のダウンリンクＴＴＩ（Transmission Time Interval）に該当する。
【０００５】
図３は公知の基準シンボルから構成された基本的なダウンリンク基準信号構造（basic downlink reference signal structure）を示している。すなわち、周波数ドメインにおける物理チャネルシンボルのマッピングを示している。つまり、チャネル符号化（channel-coded）情報、インターリーブ情報、及びデータ変調（data-modulated）情報（すなわち、レイヤ３情報）は、ＯＦＤＭ時間／周波数シンボルにマッピングされる。前記ＯＦＤＭシンボルは、連続するＯＦＤＭシンボルの番号（Ｎ）に対する連続するサブキャリアの番号（Ｍ）から構成できる。
【０００６】
ここでは、（ＣＰが短い場合）サブフレーム毎に７つのＯＦＤＭシンボルが存在すると仮定する。長いＣＰ又は異なるフレーム構造の場合、このような基本的なダウンリンク基準信号構造は若干異なる。
【０００７】
基準シンボル（すなわち、第１の基準シンボル）は、ダウンリンク伝送のために割り当てられた全てのサブフレームの第１のＯＦＤＭシンボルに位置する。これは、長いＣＰ及び短いＣＰだけでなく、ＦＤＤ及びＴＤＤにおいても同様である。追加的な基準シンボル（すなわち、第２の基準シンボル）は、ダウンリンク伝送のために割り当てられた全てのサブフレームの最後の第３のＯＦＤＭシンボルに位置する。これは、長いＣＰ及び短いＣＰだけでなく、ＦＤＤ及びＴＤＤのためのベースラインである。しかし、ＦＤＤの場合、前記第２の基準シンボルが要求されるか否かの評価が行われなければならない。
【０００８】
図４は本発明に適用できるＥ−ＵＭＴＳのネットワーク構造の一例を示している。
【０００９】
Ｅ−ＵＭＴＳシステムは、ＵＭＴＳシステムから進化したシステムであって、現在３ＧＰＰ標準組織により標準化作業が行われている。
【００１０】
図４に示すように、Ｅ−ＵＭＴＳネットワークは、一般的にＥ−ＵＴＲＡＮとコアネットワーク（ＣＮ）とを含む。前記Ｅ−ＵＴＲＡＮは、端末（すなわち、ＵＥ）、基地局（すなわち、ｅＮｏｄｅＢ又はｅＮＢ）、並びにＥ−ＵＭＴＳネットワークのエンドに位置して少なくとも１つの外部ネットワークに接続するアクセスゲートウェイ（ＡＧ）から構成される。前記ＡＧは、ユーザトラフィックを処理する部分と制御トラフィックを処理する部分とに分けられる。この場合、前記ユーザトラフィックを処理するＡＧと前記制御トラフィックを処理するＡＧとは、新たに定義されるインタフェースを介して通信可能である。１つのｅＮｏｄｅＢには少なくとも１つのセルが存在する。前記ｅＮｏｄｅ Ｂ間ではユーザトラフィック及び制御トラフィックの伝送のためのインタフェースを使用できる。前記コアネットワーク（ＣＮ）は、前記ＵＥのユーザのための登録及びその他の機能に使用されるノードなど、並びに前記ＡＧから構成できる。また、前記Ｅ−ＵＴＲＡＮと前記ＣＮとを区分するためのインタフェースを使用できる。
【００１１】
さらに、Ｅ−ＵＭＴＳネットワークは、無線制御機能を実行する制御プレーンサーバ（Control Plane Server；CPS）、無線リソース管理機能を実行する無線リソース管理（Radio ResourceManagement；RRM）エンティティ、及び移動端末の移動性管理機能を実行する移動性管理エンティティ（Mobility Management Entity；MME）を含む。ここで、様々なネットワークエンティティの特定名称が前述したものに限定されないことを理解できるであろう。
【００１２】
図５は、３ＧＰＰ無線アクセスネットワーク標準に準拠した、端末（ＵＥ）とＵＴＲＡＮ（UMTS Terrestrial Radio Access Network）間の無線インタフェースプロトコルの構造の一例を示している。図５に示す無線インタフェースプロトコルは、水平的には、物理層、データリンク層、及びネットワーク層からなり、垂直的には、ユーザデータの伝送のためのユーザプレーン、及び制御信号の伝送のための制御プレーンからなる。図５に示す無線インタフェースプロトコル層は、通信システム分野で周知のＯＳＩ（OpenSystem Interconnection）標準モデルの下位３層に基づいて、第１層（Ｌ１）、第２層（Ｌ２）、及び第３層（Ｌ３）に分けられる。
【００１３】
前記物理層（すなわち、第１層）は、物理チャネルで上位層に情報伝送サービスを提供する。前記物理層は、上位にある媒体アクセス制御（Medium Access Control；MAC）層にトランスポートチャネルを介して接続され、前記トランスポートチャネルで前記物理層と前記ＭＡＣ層間のデータ伝送が行われる。また、異なる物理層間、すなわち送信側（トランスミッタ）の物理層と受信側（レシーバ）の物理層間のデータ伝送は、前記物理チャネルで行われる。
【００１４】
前記物理チャネルは、ＯＦＤＭ技術で変調され、時間及び周波数を無線リソースとして使用する。
【００１５】
前記第２層のＭＡＣ層は、論理チャネルで（上位層である）無線リンク制御（Radio Link Control；RLC）層にサービスを提供する。前記第２層のＲＬＣ層は、信頼性のあるデータ伝送をサポートする。ＲＬＣ機能が前記ＭＡＣ層で実現されて該ＭＡＣ層により実行される場合、前記ＲＬＣ層自体が存在しなくてもよい。前記第２層のＰＤＣＰ層は、ＩＰｖ４やＩＰｖ６などのＩＰ（InternetProtocol）パケットを用いて伝送されるデータを相対的に帯域幅の小さい無線インタフェースで効率的に伝送できるように、不要な制御情報を減らすヘッダ圧縮機能を実行する。
【００１６】
前記第３層の最下位に位置する無線リソース制御（Radio Resource Control；RRC）層は、制御プレーンでのみ定義され、無線ベアラ（Radio Bearer）の設定、再設定、及び解除に関する論理チャネル、トランスポートチャネル、及び物理チャネルの制御を担当する。ここで、無線ベアラとは、移動端末とＵＴＲＡＮ間のデータ伝送のために前記第２層により提供されるサービスを意味する。
【００１７】
前記ＲＲＣ層より上位に位置するＮＡＳ（Non-Access Stratum）層は、セッション管理、移動性管理などの機能を実行する。
【００１８】
ネットワークから移動端末にデータを伝送するダウンリンク伝送に使用されるチャネルとしては、システム情報の伝送に使用されるＢＣＨ（Broadcast Channel）、及びユーザトラフィック又は制御メッセージの伝送に使用されるＳＣＨ（Shared Channel）がある。従って、ダウンリンクマルチキャストもしくはブロードキャストサービスのトラフィック、又は制御メッセージの場合、ダウンリンクＳＣＨで伝送することもでき、別途のダウンリンクＭＣＨ（MulticastChannel）で伝送することもできる。
【００１９】
また、移動端末からネットワークにデータを伝送するアップリンク伝送に使用されるチャネルとしては、初期制御メッセージの伝送に使用されるＲＡＣＨ（Random Access Channel）、及びユーザトラフィック又は制御メッセージの伝送に使用されるＳＣＨがある。
【００２０】
さらに、トランスポートチャネルより上位に位置して該トランスポートチャネルにマッピングされる論理チャネルとしては、ＢＣＣＨ（Broadcast Channel）、ＰＣＣＨ（Paging Control Channel）、ＣＣＣＨ（Common ControlChannel）、ＭＣＣＨ（Multicast Control Channel）、ＭＴＣＨ（Multicast Traffic Channel）などがある。
【発明の開示】
【発明が解決しようとする課題】
【００２１】
従来技術において、ＳＣＨチャネルの制御情報を伝送するチャネルであるＳＣＣＨ（Shared Control Channel）は、移動端末を識別するための移動端末（ＵＥ）識別子を常に伝送する。従って、複数の移動端末のための共通チャネルのデータが前記ＳＣＨチャネルで伝送されるとき、前記ＳＣＣＨは複数の移動端末が用いる複数の移動端末識別子を伝送しなければならない。この場合、前記ＳＣＣＨで伝送される制御情報のサイズ（又は量）が大きいという問題があった。
【００２２】
また、従来技術において、移動端末は前記ＳＣＨチャネルをフレーム毎に受信しなければならない。しかし、実際には移動端末が読み取るべきデータ（すなわち、ＵＥのためのデータ）は特定フレームにのみ伝送されるため、フレーム毎に前記ＳＣＨチャネルを受信した場合、バッテリ電力が浪費される。
【課題を解決するための手段】
【００２３】
本発明は、このような従来技術の問題を解決するためになされたものである。その結果として、本発明は、データの送信及び受信過程で発生するデータのサイズ（又は量）を最小化し、移動端末のバッテリ電力の浪費を最小化できる移動端末のデータ受信方法を提供する。
【発明を実施するための最良の形態】
【００２４】
本発明の一態様は、前述した従来技術の問題及び欠点に関する本発明者らの知見に基づくものであり、以下でさらに詳細に説明する。このような知見に基づいて本発明が完成された。
【００２５】
本発明は、データの送信及び受信過程で発生するデータのサイズ（又は量）を最小化し、移動端末のバッテリ電力の浪費を最小化できる移動端末のデータ受信方法を提供する。
【００２６】
本発明の特徴はＵＭＴＳなどの移動通信システムで実現される。しかしながら、本発明の特徴は他の標準の下で動作する他のタイプの通信システムでも実現できる。
【００２７】
本発明の特徴は３ＧＰＰ標準のＬＴＥ（Long-Term Evolution）に関する問題に関連する。従って、３ＧＰＰ ＴＳ ２５．８１３（ＬＴＥ ＴＲ）及びその関連部分又は一部、並びにこれらの様々な開発向上が本発明に関連する。このような改善と進歩により、様々なネットワークエンティティ（例えば、ｅＮｏｄｅＢ）、プロトコル層、チャネルなどをラベリングする際、特定プレフィックス（文字Ｅ）を使用できるようになった。しかしながら、このようなラベリング及びその他の技術は、単に例示にすぎず、現在進行中の又は今後の論議の結果によって変更され得る（又は、後で明らかになる）ことを理解できる。
【００２８】
データの送信及び受信過程で発生するデータのサイズ（又は量）を最小化してバッテリ電力の浪費を最小化するために、無線ネットワークは、第１チャネルに送信されるデータがＵＥ専用チャネルデータであるか共通チャネルデータであるかを区分する識別子情報を、第２チャネルで端末（ＵＥ）に送信する。前記端末は、前記第２チャネルを周期的な方式又は非周期的な方式で受信し、前記データが共通チャネルデータであることを前記第２チャネルで受信した識別子情報が示す場合、前記第１チャネルで前記共通チャネルデータを受信する。
【００２９】
前記第１チャネルはＳＣＨチャネルであり、前記第２チャネルは前記ＳＣＨチャネルの制御情報を送信するＳＣＣＨチャネルである。
【００３０】
前記無線ネットワークはｅＮｏｄｅ Ｂ（ｅＮＢ）であり、前記ＵＥ専用チャネルデータは論理チャネルであるＤＴＣＨ又はＤＣＣＨのデータであり、前記共通チャネルデータは論理チャネルであるＣＣＣＨ又はＢＣＣＨ、ＭＣＣＨ、ＭＴＣＨ、ＰＣＣＨなどのデータである。
【００３１】
前記ＳＣＣＨチャネルの共通チャネルデータのための識別子情報は、前記データがＣＣＣＨ又はＢＣＣＨ、ＭＣＣＨ、ＭＴＣＨ、ＰＣＣＨのいずれの論理チャネルに関するものであるかを識別する論理チャネルタイプ識別子情報を含む。
【００３２】
前記無線ネットワークは、前記ＳＣＨチャネルで送信された論理チャネルに該当する周期情報、又は前記ＳＣＨチャネルに該当する周期情報を送信できる。前記端末は、前記無線ネットワークから受信した周期情報に応じて、前記第２チャネル又は前記第１チャネルを周期的に受信できる。
【００３３】
図６は本発明の特性を説明するために周波数及び時間に対する各サブフレームでの制御情報及びリソースブロックの位置を示す図である。
【００３４】
図６から周波数ドメイン及び時間ドメインに関するサブフレームの構造（形式）を理解できるであろう。すなわち、１つのサブフレームは、０．５ｍｓの時間区間を有し、７つのＯＦＤＭシンボル（部分）を含む。
【００３５】
前記サブフレームの第１部分には制御情報（すなわち、Ｌ１／Ｌ２制御情報、ＦＣＣＨ、ＳＣＣＨなど）が含まれ、少なくとも１つのチャンク（chunk）形式で存在するリソースブロック（ＲＢ）は前記サブフレームの残りの部分に位置する。ここで、１つのリソースブロックは、（前記制御情報のための時間区間を除いた）前記サブフレームの全ての時間区間を占めることもあり、一部の部分的な時間区間を占めることもある。また、前記各リソースブロック（ＲＢ）は、特定周波数範囲（すなわち、特定数のサブキャリア）を使用できる。
【００３６】
前記周波数の軸は、一般的に１．２５〜２０ＭＨｚの周波数範囲を有する可変セル帯域幅（scalable cell bandwidth）ともいう。前記可変セル帯域幅内には複数のサブキャリアが存在する。このような周波数範囲のうち、いわゆる中心周波数（約１０ＭＨｚ）は、主にシステム情報の伝送に使用される。
【００３７】
従来技術においては、このようなシステム情報が固定したものとみなされる。これにより、端末は前記システム情報を容易に読み取れるが、新しいシステム情報の追加は不可能である。これに対し、本発明においては、システム情報の少なくとも一部分がフレキシブル（又は、動的）である。
【００３８】
このために、本発明は、前記システム情報をプライマリシステム情報（例えば、ＭＩＢ（Master Information Block））とノンプライマリ（又は、セカンダリ）システム情報（例えば、ＳＩＢ（SystemInformation Block））とに区分（又は、区別、分類）する。
【００３９】
前記ＭＩＢは静的な方式で（例えば、固定方式伝送のためのＢＣＨで）伝送され、前記ＳＩＢは動的な方式で（例えば、動的方式伝送のためのダウンリンクＳＣＨで）伝送される。ここで、前記動的方式伝送とは、異なる周波数範囲及び時間区間を利用できることを意味する。
【００４０】
各フレームにおいて、前記ＭＩＢは各ＳＩＢの位置に関する情報を含む。すなわち、端末（ＵＥ）が適合するＳＩＢを適切に読み取れるように、ＳＩＢ毎に特定周波数範囲及び特定時間区間を明示する（specify）。
【００４１】
同様に、１つのフレーム内の各サブフレームにおいて、（第１部分に位置する）前記制御情報は、各リソースブロック（ＲＢ）の位置に関する情報を含む。すなわち、端末（ＵＥ）が適合するＲＢを適切に読み取れるように、各ＲＢに対する周波数範囲及び時間区間を明示する。
【００４２】
以下、図６に一般的に示すこのような概念について、図７を参照してより詳細に説明する。
【００４３】
図７は本発明の一実施形態による移動通信端末のデータ受信方法を示す図である。
【００４４】
図７に示すように、各ＳＣＣＨチャネル（すなわち、ＳＣＣＨ１、ＳＣＣＨ２、ＳＣＣＨ３、ＳＣＣＨ４形式での制御情報）は、ＳＣＨとはそれぞれ異なる周波数及び時間を用いて伝送され、サブフレーム毎に１回ずつ伝送される。１つのサブフレームは０．５ｍｓの区間を有し、各ＳＣＣＨチャネルは該当サブフレームを構成する１つ又は２つのシンボルを用いて伝送される。１つのサブフレームは６つ又は７つのシンボルから構成され、異なるシンボルはそれぞれ異なる時間周期（区間）を構成する。
【００４５】
ここで、様々な理由で複数のＳＣＣＨチャネルが必要であることに注意すべきである。例えば、異なるタイプのトラフィックは周期的に伝送されなければならない。また、所定のタイプのデータ（又は、情報）を所定の周期で伝送できる場合にのみ、移動端末（ＵＥ）の能力が制限される。このように、端末（ＵＥ）はサブフレーム毎に読み取る必要はない。
【００４６】
図７において、１つのサブフレームで伝送される前記ＳＣＣＨチャネル（例えば、ＳＣＣＨ１、ＳＣＣＨ２、ＳＣＣＨ３、ＳＣＣＨ４）は、該当サブフレームのＳＣＨチャネル（例えば、ＳＣＨ１、ＳＣＨ２、ＳＣＨ３、ＳＣＨ４）に関する制御情報を伝送する。１つのＳＣＣＨチャネルで伝送された制御情報は、移動端末識別子、マルチキャストサービス識別子、及び論理チャネル識別子を含む。前記論理チャネル識別子は、該当ＳＣＨチャネルのサブフレームで伝送されたデータが、移動端末専用チャネル（例えば、ＤＣＣＨ又はＤＴＣＨ）のためのデータであるか、共通チャネルのためのデータであるかを通知する。特に、前記データが共通チャネルのためのものである場合、前記論理チャネル識別子は、共通チャネルのタイプ（すなわち、ＢＣＣＨ、ＰＣＣＨ、ＭＣＣＨ、ＭＴＣＨ、又はＣＣＣＨ）を通知する。
【００４７】
前記移動端末は、それぞれ個別の周期（例えば、４つのサブフレーム）を有する異なるＳＣＣＨチャネルを周期的な方式で受信できる。このために、基地局（ｅＮｏｄｅＢ）は周期情報を前記移動端末に送信する。前記移動端末は、前記基地局から提供された周期情報に応じて、周期的な方式で各ＳＣＣＨチャネルのサブフレームを受信できる。
【００４８】
前記移動端末は、前記受信したＳＣＣＨチャネルで前記論理チャネル識別子を取得し、前記取得した論理チャネル識別子により、前記ＳＣＨチャネルで伝送されたデータが専用チャネルのためのデータであるか、ＢＣＣＨ、ＰＣＣＨ、ＭＣＣＨ、ＭＴＣＨ、又はＣＣＣＨ（すなわち、共通チャネル）のいずれか１つのためのデータであるかを判断できる。
【００４９】
前記論理チャネル識別子が共通チャネルを示す場合、前記移動端末は、該当ＳＣＨチャネルのサブフレームを受信して前記共通チャネルのデータを受信する。
【００５０】
従って、無線ネットワークの制御により、前記端末（ＵＥ）はＳＣＣＨ１を周期的に受信するか、又はＳＣＣＨ２、ＳＣＣＨ３、及びＳＣＣＨ４のいずれか１つを周期的に受信する。これにより、前記ｅＮｏｄｅＢは特定端末（ＵＥ）が受信すべき特定ＳＣＣＨチャネルを指定できる。
【００５１】
図７において、前記ＳＣＣＨチャネルのサブフレームと該ＳＣＣＨチャネルのサブフレームにマッピングされるＳＣＨチャネルのサブフレームとは同一でなく、これらには１サブフレームの差がある。従って、例えば、前記ＳＣＣＨ２チャネルを周期的に受信する端末（ＵＥ）の場合、（前記ＳＣＣＨ２チャネルのサブフレームにマッピングされる）ＵＥ識別子が送信されるか、又は所望の（あるいは関心のある）情報が送信されると、（前記ＳＣＣＨ２チャネルのサブフレームより１サブフレーム後に送信される）前記ＳＣＨ２チャネルのサブフレームを受信する。すなわち、図７に示すようにＵＥが周期的にＳＣＣＨ２を受信する場合、サブフレーム＃２のＳＣＣＨ２での情報がＳＣＨ２での所定の情報を読み取るべきことを示すと、前記ＵＥはサブフレーム＃３のＳＣＨ２を読み取る。
【００５２】
特定ＳＣＣＨでの情報（すなわち、制御情報）が必ずしも１つの後続サブフレームに位置する該当サブフレームのみを示すわけではないことに注意すべきである。すなわち、特定ＳＣＣＨでの情報は、２又はそれ以降のサブフレームで読み取られるサブフレームに関する情報（すなわち、時間及び周波数特徴に基づくリソースブロックの位置）を提供できる。これは、読み取られるデータ量のサイズが相対的に大きい場合や継続的なスケジューリングが行われる場合などの様々な理由で必要である。
【００５３】
本発明の結果として、無線ネットワークは、第１チャネルに送信されるデータがＵＥ専用チャネルデータであるか共通チャネルデータであるかを区分する識別子情報を、第２チャネルで端末（ＵＥ）に送信する。前記端末は、前記第２チャネルを周期的な方式又は非周期的な方式で受信し、前記データが共通チャネルデータであることを前記第２チャネルで受信した識別子情報が示す場合、前記第１チャネルで前記共通チャネルデータを受信する。このような手順により、データの送信及び受信過程で発生するデータのサイズ（又は量）が最小化され、バッテリ電力の浪費が最小化される。
【００５４】
前記ＳＣＣＨを異なる用語で説明できることに注意すべきである。すなわち、前記ネットワークにより送信される制御情報は、Ｌ１／Ｌ２制御情報、ＦＣＣＨ、ＳＣＣＨなどともいう。
【００５５】
本発明は、１つの制御チャネル及び複数の共通チャネルを有し、前記制御チャネルで制御情報を周期的に送信するネットワークを有する移動通信システムにおける端末による制御情報受信方法を提供し、前記方法は、前記制御チャネルを周期的に受信する段階と、特定時間に、前記受信した制御チャネルから識別子を検出する段階と、前記検出した識別子を含む制御情報により示される特定共通チャネルでデータを受信する段階とを含む。
【００５６】
また、本発明は、１つの制御チャネル及び複数の共通チャネルを有する移動通信システムにおけるネットワークによる端末への制御情報送信方法を提供し、前記方法は、前記制御チャネルを周期的に送信する段階と、特定時間に検出された識別子を含む制御情報により示される特定共通チャネルで、前記端末が前記制御チャネルからデータを送信する段階とを含む。
【００５７】
前記識別子は、前記端末自体のための端末識別子又は共通チャネル識別子である。前記共通チャネルの少なくとも１つは、ＣＣＣＨ、ＢＣＣＨ、ＭＣＣＨ、ＭＴＣＨ、又はＰＣＣＨでもよい。前記制御情報は、前記制御チャネルで受信できる。前記制御情報及びデータは、同一のサブフレームで受信（送信）できる。前記制御情報及びデータは、異なるサブフレームで受信（送信）できる。前記制御情報は、同一のサブフレーム又は異なる後続のサブフレームで前記データのための時間及び周波数情報を示すことができる。前記制御情報は、ＳＣＣＨ、ＦＣＣＨ、及びＬ１／Ｌ２制御情報の少なくとも１つから構成できる。前記制御情報は、周波数パラメータ、時間パラメータ、及び読み取られる前記データのサイズパラメータの少なくとも１つを示すことができる。前記周波数パラメータはシンボルに関するものであり、前記時間パラメータはサブキャリアに関するものであり、前記サイズパラメータはシンボル及びサブキャリアに関するものである。
【００５８】
本明細書は本発明の様々な実施形態を記述している。本発明の範囲は本明細書に開示されている例示的実施形態の多様な変更及び均等物をも含むものである。従って、請求の範囲はここに開示されている本発明の思想及び範囲内で行われる変更、均等物、及び特徴を含むように広く解釈されるべきである。
【図面の簡単な説明】
【００５９】
【図１】ＯＦＤＭで使用される１つのフレームの構造の一例を示す図である。
【図２】図１のフレーム内の１つのサブフレームの一例を示す図である。
【図３】ＯＦＤＭのためのデータ及び基準シンボルが周波数ドメイン及び時間ドメインに示される方法の一例を示す図である。
【図４】Ｅ−ＵＭＴＳネットワークの構造の一例を示す図である。
【図５】３ＧＰＰ無線アクセスネットワーク標準に準拠した、ＵＥとＵＴＲＡＮ間の無線インタフェースプロトコルの構造の一例を示す図である。
【図６】本発明の特性を説明するために周波数及び時間に対する各サブフレームでの制御情報及びリソースブロックの位置を示す図である。
【図７】本発明の一実施形態による移動通信端末のデータ受信方法を示す図である。
【図１】
2009513058.tif 000003
【図２】
2009513058.tif 000004
【図３】
2009513058.tif 000005
【図４】
2009513058.tif 000006
【図５】
2009513058.tif 000007
【図６】
2009513058.tif 000008
【図７】
2009513058.tif 000009
【国際調査報告】
2009513058.tif 000010
2009513058.tif 000011
2009513058.tif 000012